(57)【要約】【課題】指等のサイズよりも指輪等の装身具のサイズが小さい場合でも締め付けすぎの状態が解消されて、長時間の装着にも堪えることができ、また部品点数が少なく、その組み付けも簡単なフリーサイズ指輪を提供する。【解決手段】本発明のフリーサイズ指輪は、一対の装飾部材を備え、該一対の装飾部材をその端部の連結部において軸ピンで軸着することにより首振り可能に連結し、前記連結部に内蔵したバネで前記一対の装飾部材の他端を閉じる方向に付勢させるとともに、前記連結部もしくは前記一対の装飾部材を閉じる他端部には、一定の角度以上に一対の装飾部材が開くことを防止する開放規制手段を設け、かつ前記連結部の内周には指に突き当たる突起部を生起させないようにしたことを特徴とする。【選択図】  図１
2017006568.tif 000002
【特許請求の範囲】
【請求項１】
一対の装飾部材を備え、該一対の装飾部材をその端部の連結部において軸ピンで軸着することにより首振り可能に連結し、前記連結部に内蔵したバネで前記一対の装飾部材の他端を閉じる方向に付勢させるとともに、前記連結部もしくは前記一対の装飾部材を閉じる他端部には、一定の角度以上に一対の装飾部材が開くことを防止する開放規制手段を設け、かつ前記連結部の内周には指に突き当たる突起部を生起させないようにしたことを特徴とするフリーサイズ指輪。
【請求項２】
前記連結部に内蔵したバネは、前記軸ピンに巻き付けて両端で前記一対の装飾部材の外周側を押圧し、前記一対の装飾部材の他端を閉じる方向に付勢する線状バネからなることを特徴とする請求項１に記載のフリーサイズ指輪。
【請求項３】
前記連結部に内蔵したバネは、前記一対の装飾部材の連結部の内周側に配設するとともに、少なくとも両端を装飾部材内に収納保持し、前記一対の装飾部材の連結部側の端部を押圧して閉じる方向に付勢する板状バネからなることを特徴とする請求項１に記載のフリーサイズ指輪。
【請求項４】
前記一対の装飾部材の連結部における一定の角度以上に一対の装飾部材が開くことを防止する開放規制手段は、前記一対の装飾部材の連結部側の端部に係合するよう設けた突起ないし係合部で構成されていることを特徴とする請求項１ないし３のいずれかに記載のフリーサイズ指輪。
【請求項５】
前記一対の装飾部材の連結部における一定の角度以上に一対の装飾部材が開くことを防止する開放規制手段は、前記一対の装飾部材の端部に設けたフック状もしくはリング状連結部からなることを特徴とする請求項１ないし３のいずれかに記載のフリーサイズ指輪。
【請求項６】
前記一対の装飾部材の連結部における一定の角度以上に一対の装飾部材が開くことを防止する開放規制手段は、前記一対の装飾部材の一方の装飾部材の端部に設けた所定の長さのガイド孔もしくはガイド溝と、前記他方の装飾部材に設けた前記ガイド孔もしくはガイド溝に係合するピンないしフックで構成されていることを特徴とする請求項１ないし３のいずれかに記載のフリーサイズ指輪。
【発明の詳細な説明】
【技術分野】
【０００１】
本発明はフリーサイズ指輪に係るものである。
【背景技術】
【０００２】
従来より、円環状態を保ちながら、指に適切にフィットさせることができるフリーサイズ機能を持ったフリーサイズ指輪を提供することが望まれている。
【０００３】
そのため、特開２００２−３５５１０７号公報（特許文献１参照）には、円環状態を保ちながら、指に適切にフィットさせることができるフリーサイズ機能を持った指輪を提供するために下記の構造を採用したものが示されている。
すなわち、回動環構成体とスライド側環構成体とは、スライド側環構成体に形成されたガイド溝に回動環構成体に備え付けられた案内ピンを入れ込ませて組み付けられている。回動環構成体と軸受け側環構成体とは、回動軸によって回動環構成体の指輪の内径を広げさせる向きの回動を許容した状態で組み付けられている。軸受け側環構成体の内側には、バネの一端を一方の回動環構成体の一端部における回動軸より先の末端部に内側から押し当てさせ、かつ、バネの他端を他方の回動環構成体の一端部における回動軸より先の末端部に内側から押し当てさせる板バネが備えられている。
【先行技術文献】
【特許文献】
【０００４】
【特許文献１】特開２００２−３５５１０７号公報
【特許文献２】特開２０１４−１５８６３３号公報
【特許文献３】特開２００３−５２４２３号公報
【発明の概要】
【発明が解決しようとする課題】
【０００５】
しかるに、特開２００２−３５５１０７号公報（特許文献１参照）においては、前記一対の回動環構成体を指輪の内径を広げ出させる向きに回動させるような力が作用された場合、前記板バネの両端部にはそれぞれ前記回動環構成体の回動軸より先の末端部によって当該両端部を指輪の内方に押し込ませる向きの力が作用される。これにより、このように一対の回動環構成体が回動された場合、板バネが弾性変形されることとなり、この板バネの弾性変形によって一対の回動環構成体は指輪の内径を狭めさせる向きの付勢力を受けさせられた状態で当該指輪の内径を広げ出させる向きに回動されることとなる。
そしてその際、前記板バネの両端部にはそれぞれ前記回動環構成体の末端部によって当該両端部を指輪の内方に押し込ませる向きの伸縮方向の力が作用するので、指のサイズよりも指輪のサイズが小さい場合には非常に強い板バネの反発力が作用して締め付けすぎの状態となり、長時間の装着には堪えられないようになってしまう。
また、特開２００２−３５５１０７号公報（特許文献１参照）においては、前記スライド側環構成体という特殊なパーツを用いており、部品点数のみならず、その組み付けに手間がかかる上、前記パーツが装身具の装飾性を損ないがちであるという問題点があった。
【０００６】
そこで本発明者は先に、特開２０１４−１５８６３３号公報（特許文献２参照）において、一対の装飾部材を備え、該一対の装飾部材をその端部の連結部において軸着することにより首振り可能に連結し、前記連結部に内蔵したバネで前記一対の装飾部材の他端を閉じる方向に付勢するようにしたフリーサイズ指輪であって、前記連結部に内蔵したバネを、前記一対の装飾部材の一方の装飾部材に沿って保持された長尺の板バネとし、その先端を前記他方の装飾部材の端部内周に沿って当接させることにより、前記一対の装飾部材の他端を閉じる方向に付勢するようにするとともに、前記連結部もしくは前記一対の装飾部材を閉じる他端部に、一定の角度以上に一対の装飾部材が開くことを防止する開放規制手段を設けたことを特徴とするフリーサイズ指輪を提案した。
なお、本発明者の発明に係る特開２００３−５２４２３号公報（特許文献３参照）には一対の装飾部材の連結部に係止ピンが配設されているが、この係止ピンは一対のイヤリング本体（装飾部材）が開いた状態を維持するものであって、本発明が採用した開放規制手段ではない。
【０００７】
本発明は上記した特開２０１４−１５８６３３号公報（特許文献２参照）のフリーサイズ指輪の問題点を改良したものであり、指等の被装着物のサイズよりも指輪等の装身具のサイズが小さい場合でも締め付けすぎの状態が解消され、また指輪の内周面の突起をなくして長時間の装着にも堪えることが可能であり、また部品点数が少なく、その組み付けも簡単なフリーサイズ指輪を提供しようとするものである。
【課題を解決するための手段】
【０００８】
すなわちこの発明のフリーサイズ指輪は、一対の装飾部材を備え、該一対の装飾部材をその端部の連結部において軸ピンで軸着することにより首振り可能に連結し、前記連結部に内蔵したバネで前記一対の装飾部材の他端を閉じる方向に付勢させるとともに、前記連結部もしくは前記一対の装飾部材を閉じる他端部には、一定の角度以上に一対の装飾部材が開くことを防止する開放規制手段を設け、かつ前記連結部の内周には指に突き当たる突起部を生起させないようにしたことを特徴とするものである。
【０００９】
この発明のフリーサイズ指輪において、前記連結部に内蔵したバネは、前記軸ピンに巻き付けて両端で前記一対の装飾部材の外周側を押圧し、前記一対の装飾部材の他端を閉じる方向に付勢する線状バネからなることをも特徴とするものである。
【００１０】
この発明のフリーサイズ指輪において、前記連結部に内蔵したバネは、前記一対の装飾部材の連結部の内周側に配設するとともに、少なくとも両端を装飾部材内に収納保持し、前記一対の装飾部材の連結部側の端部を押圧して閉じる方向に付勢する板状バネからなることをも特徴とするものである。
【００１１】
この発明のフリーサイズ指輪において、前記一対の装飾部材の連結部における一定の角度以上に一対の装飾部材が開くことを防止する開放規制手段は、前記一対の装飾部材の連結部側の端部に係合するよう設けた突起ないし係合部で構成されていることをも特徴とするものである。
【００１２】
この発明のフリーサイズ指輪において、前記一対の装飾部材の連結部における一定の角度以上に一対の装飾部材が開くことを防止する開放規制手段は、前記一対の装飾部材の端部に設けたフック状もしくはリング状連結部からなることをも特徴とするものである。
【００１３】
この発明のフリーサイズ指輪において、前記一対の装飾部材の連結部における一定の角度以上に一対の装飾部材が開くことを防止する開放規制手段は、前記一対の装飾部材の一方の装飾部材の端部に設けた所定の長さのガイド孔もしくはガイド溝と、前記他方の装飾部材に設けた前記ガイド孔もしくはガイド溝に係合するピンないしフックで構成されていることをも特徴とするものである。
【発明の効果】
【００１４】
この発明によれば、開放規制手段によって前記連結部の内周側に指に突き当たる突起部が生起される角度以上に一対の装飾部材が開くことを防止することができ、指輪へ指を挿入する際や、指を抜く際などにおいて前記連結部の内周側に突起部が生起しないので、指に傷をつけたり痛みを感じさせることがなく、非常に安全なフリーサイズ指輪を提供することができる。
【図面の簡単な説明】
【００１５】
【図１】本発明のフリーサイズ指輪の第１実施例を示す正面図である。
【図２】その平面図である。
【図３】その底面図である。
【図４】連結部の拡大断面図である。
【図５】本発明のフリーサイズ指輪の第２実施例を示す正面図である。
【図６】その平面図である。
【図７】その底面図である。
【図８】その横断面図である。
【図９】その要部縦断面図である。
【図１０】第２実施例の一対の装飾部材を開いた状態を示す正面図である。
【図１１】その平面図である。
【図１２】その底面図である。
【図１３】その横断面図である。
【図１４】その要部縦断面図である。
【図１５】第２実施例の変形例を示す要部縦断面図である。
【図１６】第２実施例の一対の装飾部材を閉じた状態を示す要部拡大縦断面図である。
【図１７】一対の装飾部材を開いた状態を示す要部拡大縦断面図である。
【図１８】連結部における開放規制手段の例を示す要部拡大縦断面図である。
【図１９】一対の装飾部材を開いた状態を示す要部拡大縦断面図である。
【図２０】連結部における開放規制手段の別の例を示す要部拡大縦断面図である。
【図２１】一対の装飾部材を開いた状態を示す要部拡大縦断面図である。
【発明を実施するための形態】
【００１６】
以下、図面に基いて本発明のフリーサイズ指輪を指輪に適用した実施の形態について詳細に説明する。
図１ないし図４は本発明のフリーサイズ指輪の第１実施例を示すものである。
図１ないし図４において、前記指輪１１は一対の装飾部材１２，１３を備えている。図では前記一対の装飾部材１２，１３は、ほぼ対称的な形状を備えており、上部の開放端部は互いの側面がすれ違うように重なり合っている。
そして前記指輪１１は、前記一対の装飾部材１２，１３をその端部の連結部１４において軸ピン１５を用いて軸着することにより首振り可能に連結されている。その際、前記一対の装飾部材１２，１３の一方の装飾部材１２の端部には所定幅の雄部材１２ａが、他方の装飾部材１３の端部には前記雄部材１２ａを挟み付けるＵ字状の雌部材１３ａがそれぞれ形成してあり、前記雄部材１２ａと雌部材１３ａを係合して軸ピン１５を用いて軸着している。
【００１７】
そして前記一対の装飾部材１２，１３は、前記連結部１４に内蔵したバネで前記一対の装飾部材１２，１３の他端を閉じる方向に付勢するようにしたものである。
本実施例では、前記連結部１４に内蔵したバネは前記軸ピン１５に巻き付けて両端で前記一対の装飾部材１２，１３の外周側を押圧し、前記一対の装飾部材１２，１３の他端を閉じる方向に付勢する線状バネ１６からなっている。
【００１８】
本発明においては、前記連結部１４もしくは前記一対の装飾部材１２，１３を閉じる他端部に、前記連結部１４の内周側に指に突き当たる突起部が生起される角度以上に一対の装飾部材１２，１３が開くことを防止する開放規制手段を設けたことを特徴としている。
本実施例において、前記連結部１４の内周側に指に突き当たる突起部が生起される角度以上に一対の装飾部材１２，１３が開くことを防止する開放規制手段は、前記一対の装飾部材の連結部側の端部に係合するよう設けた開放規制ピン２１で構成されている
このように、開放規制ピン２１によって前記連結部１４の内周側に指に突き当たる突起部が生起される角度以上に一対の装飾部材１２，１３が開くことを防止すれば、指輪１１へ指を挿入する際や、指を抜く際などにおいて前記連結部１４の内周側に突起部が生起しないので、指に傷をつけたり痛みを感じさせることがなく、非常に安全なフリーサイズ指輪を提供することができる。
【００１９】
本実施例においてはさらに、前記連結部１４の内周には指に突き当たる突起部を生起させないように構成されている。すなわち、一対の装飾部材１２，１３が開いた際の前記雄部材１２ａと雌部材１３ａの内周側の末端部分はＲ状の面取り１２ｂ，１３ｂが施されており、指に痛みを感じさせるような突起部は存在しない。
【００２０】
図５ないし図１５は本発明のフリーサイズ指輪の第２実施例を示すものである。
図５ないし図９において、前記指輪３１は一対の装飾部材３２，３３を備えている。図では前記一対の装飾部材３２，３３は、ほぼ対称的な形状を備えており、上部の開放端部は互いの側面がすれ違うように重なり合っている。
そして前記指輪３１は、前記一対の装飾部材３２，３３をその端部の連結部３４において軸ピン３５を用いて軸着することにより首振り可能に連結されている。その際、前記一対の装飾部材３２，３３の一方の装飾部材３２の端部には所定幅の雄部材３２ａが、他方の装飾部材３３の端部には前記雄部材３２ａを挟み付けるＵ字状の雌部材３３ａがそれぞれ形成してあり、前記雄部材３２ａと雌部材３３ａを互いに係合して軸ピン３５を用いて軸着している。
【００２１】
３３ｂは他方の装飾部材３３の適所に設けた固定用の溝、３６ａはその中にはめ込む板バネ３６の端部、３３ｃは板バネ３６を保持する固定用バーである。もちろん、この固定用バー３３ｃを図１５に示すような板バネ３６のほぼ全長を覆う長さのカバーとすれば、連結部３４の内周には指に突き当たる突起部は生起せず、しかも板バネ３６が見えなくなって見栄えが良く、したがって指輪３１の装飾性を向上させることができる。
【００２２】
本実施例の指輪３１を指に装着するため、図１０ないし図１５のように、前記一対の装飾部材３２，３３の径を拡げようとすると、図１６の前記連結部３４に内蔵した板バネ３６の先端が前記一方の装飾部材３２の端部内周を押圧している状態から、図１４および図１７に示すように、前記一対の装飾部材３２，３３の他端を閉じる方向に向かう付勢力を受けながら径を拡げることとなり、径を拡げる力を解放すると前記一対の装飾部材３２，３３の他端を閉じる常態位置に復帰する。
しかしながら、前記一対の装飾部材３２，３３を所定角度以上に開くと、前記一対の装飾部材３２，３３の他端を閉じる方向に向かう付勢力は機能しなくなり、開放状態のままとなって指輪３１は装着した指から脱落してしまう。
前記問題点を解決するため、前記一対の装飾部材３２，３３の連結部３４の一方の外周に開放規制片（図示せず）を設けた場合には、指輪３１の装飾性を損なうばかりか、開放規制片が指に接触して指を傷付けたり、開放規制片の強度が保ちにくいという欠点があった。
【００２３】
本実施例においては、前記一対の装飾部材３２，３３を閉じる他端部に、前記連結部３４の内周側に指に突き当たる突起部が生起される角度以上に一対の装飾部材３２，３３が開くことを防止する開放規制手段を設けたことを特徴としている。
本実施例において、前記一対の装飾部材３２，３３が前記連結部３４の内周側に指に突き当たる突起部が生起される角度以上に開くことを防止する開放規制手段は、前記一対の装飾部材３２，３３の一方の端部に設けた開放規制ピン４１と、他方の端部に設けた所定長さの溝状ガイド４２からなり、溝状ガイド４２内に開放規制ピン４１をはめ込んで係合させている。
したがって、前記一対の装飾部材３２，３３が前記連結部３４の内周側に指に突き当たる突起部が生起される角度以上に開こうとすると、前記一対の装飾部材３２，３３の端部に設けた溝状ガイド４２の端部に開放規制ピン４１が係止し、前記一対の装飾部材３２，３３が所定の角度以上に開くことはなく、したがって指輪３１が指から脱落する恐れもない。
【００２４】
前記一対の装飾部材３２，３３を閉じる他端部に設けた、前記連結部３４の内周側に指に突き当たる突起部が生起される角度以上に一対の装飾部材３２，３３が開くことを防止する開放規制手段としては、前記一対の装飾部材３２，３３の端部に設けたリング状連結部とすることが可能であり、互いのループ部分を交差させて連結したものとしてもよい。
【００２５】
図１８および図１９は前記一対の装飾部材３２，３３の連結部３４に設けた、前記連結部３４の内周側に指に突き当たる突起部が生起される角度以上に一対の装飾部材３２，３３が開くことを防止する開放規制手段の１例を示すものである。
この開放規制手段は、装飾部材３２の前記雄部材３２ａの末端に設けた軸ピン３５を中心とする円弧状のガイド孔４２ａに、前記雌部材３３ａのコ字部間に差し渡した開放規制ピン４１を挿通した構造である。
また、図２０および図２１は前記一対の装飾部材３２，３３の連結部３４に設けた、前記連結部３４の内周側に指に突き当たる突起部が生起される角度以上に一対の装飾部材３２，３３が開くことを防止する開放規制手段の同様の例を示すものである。
この開放規制手段は、装飾部材３２の前記雄部材３２ａの端面に設けた軸ピン３５を中心とする円弧状のガイド溝４２ｂに、前記雌部材３３ａのコ字部間に差し渡した開放規制ピン４１を挿通した構造である。
【００２６】
本例においては、前記一対の装飾部材３２，３３が前記連結部３４の内周側に指に突き当たる突起部が生起される角度以上に開こうとすると、前記装飾部材３２の雄部材３２ａの端面に設けた軸ピン３５を中心とする円弧状のガイド孔４２ａもしくはガイド溝４２ｂの下端に、前記雌部材３３ａのコ字部間に差し渡した開放規制ピン４１が係合し、前記一対の装飾部材３２，３３が所定の角度以上に開くことはなく、したがって指輪３１が指から脱落する恐れもない。
【産業上の利用可能性】
【００２７】
本発明は以上の通りの構成を有するものであり、指輪の内周に指に突き当たる突起部を生起させないようにしたため、指に突起部が突き当たることなく装着することができるものであり、装着時や長時間の装着にも痛みを伴わないという大きな利点がある。
また、前記開放規制手段を目立たない位置に内蔵させることができるため、装身具を軽量のまま保つことができてコスト面でも有利であり、前記開放規制手段が装飾性を損なうこともないので、装飾性に優れた装身具を提供することが可能となる。
【００２８】
以上、本発明を指輪をもって説明したが、装飾部材を複数に分割して構成するその他の装身具に適用できることは勿論であり、例えばブレスレットやアンクレット等にも用いることができ、その利用範囲は広い。
【符号の説明】
【００２９】
１１  指輪
１２  装飾部材
１２ａ  雄部材
１２ｂ  面取り
１３  装飾部材
１３ａ  雌部材
１３ｂ  面取り
１４  連結部
１５  軸ピン
１６  線状バネ
２１  開放規制ピン
３１  指輪
３２  装飾部材
３２ａ  雄部材
３３  装飾部材
３３ａ  雌部材
３３ｂ  固定用の溝
３３ｃ  固定用バー
３４  連結部
３５  軸ピン
３６  板バネ
３６ａ  板バネ端部
４１  開放規制ピン
４２  溝状ガイド
４２ａ  ガイド孔
４２ｂ  ガイド溝
【図１】
2017006568.tif 000003
【図２】
2017006568.tif 000004
【図３】
2017006568.tif 000005
【図４】
2017006568.tif 000006
【図５】
2017006568.tif 000007
【図６】
2017006568.tif 000008
【図７】
2017006568.tif 000009
【図８】
2017006568.tif 000010
【図９】
2017006568.tif 000011
【図１０】
2017006568.tif 000012
【図１１】
2017006568.tif 000013
【図１２】
2017006568.tif 000014
【図１３】
2017006568.tif 000015
【図１４】
2017006568.tif 000016
【図１５】
2017006568.tif 000017
【図１６】
2017006568.tif 000018
【図１７】
2017006568.tif 000019
【図１８】
2017006568.tif 000020
【図１９】
2017006568.tif 000021
【図２０】
2017006568.tif 000022
【図２１】
2017006568.tif 000023
【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
一対の装飾部材を備え、該一対の装飾部材をその端部の連結部において軸ピンで軸着することにより首振り可能に連結し、前記軸ピンに巻き付けて両端で前記一対の装飾部材の外周側を押圧し前記一対の装飾部材の他端を閉じる方向に付勢する線状バネで前記一対の装飾部材の他端を閉じる方向に付勢させるとともに、前記連結部もしくは前記一対の装飾部材を閉じる他端部には、一定の角度以上に一対の装飾部材が開くことを防止する開放規制手段を設け、かつ前記連結部の内周には指に突き当たる突起部を生起させないようにしたことを特徴とするフリーサイズ指輪。
【請求項２】
前記一対の装飾部材の連結部における一定の角度以上に一対の装飾部材が開くことを防止する開放規制手段は、前記一対の装飾部材の連結部側の端部に係合するよう設けた突起ないし係合部で構成されていることを特徴とする請求項１に記載のフリーサイズ指輪。
【請求項３】
前記一対の装飾部材の連結部における一定の角度以上に一対の装飾部材が開くことを防止する開放規制手段は、前記一対の装飾部材の端部に設けたフック状もしくはリング状連結部からなることを特徴とする請求項１に記載のフリーサイズ指輪。
【請求項４】
前記一対の装飾部材の連結部における一定の角度以上に一対の装飾部材が開くことを防止する開放規制手段は、前記一対の装飾部材の一方の装飾部材の端部に設けた所定の長さのガイド孔もしくはガイド溝と、前記他方の装飾部材に設けた前記ガイド孔もしくはガイド溝に係合するピンないしフックで構成されていることを特徴とする請求項１に記載のフリーサイズ指輪。
【手続補正書】
【提出日】平成28年8月17日(2016.8.17)
【手続補正１】
【補正対象書類名】特許請求の範囲
【補正対象項目名】全文
【補正方法】変更
【補正の内容】
【特許請求の範囲】
【請求項１】
一対の装飾部材を備え、該一対の装飾部材をその端部の連結部において軸ピンで軸着することにより首振り可能に連結し、前記軸ピンに巻き付けて両端で前記一対の装飾部材の外周側を押圧し前記一対の装飾部材の他端を閉じる方向に付勢する線状バネで前記一対の装飾部材の他端を閉じる方向に付勢させるとともに、前記連結部もしくは前記一対の装飾部材を閉じる他端部には、一定の角度以上に一対の装飾部材が開くことを防止する開放規制手段を設け、かつ前記連結部の内周側端部を面取りして、指に突き当たる突起部を生起させないようにしたことを特徴とするフリーサイズ指輪。
【請求項２】
前記一対の装飾部材の連結部における一定の角度以上に一対の装飾部材が開くことを防止する開放規制手段は、前記一対の装飾部材の連結部側の端部に係合するよう設けた突起ないし係合部で構成されていることを特徴とする請求項１に記載のフリーサイズ指輪。
【請求項３】
前記一対の装飾部材の連結部における一定の角度以上に一対の装飾部材が開くことを防止する開放規制手段は、前記一対の装飾部材の端部に設けたフック状もしくはリング状連結部からなることを特徴とする請求項１に記載のフリーサイズ指輪。
【請求項４】
前記一対の装飾部材の連結部における一定の角度以上に一対の装飾部材が開くことを防止する開放規制手段は、前記一対の装飾部材の一方の装飾部材の端部に設けた所定の長さのガイド孔もしくはガイド溝と、前記他方の装飾部材に設けた前記ガイド孔もしくはガイド溝に係合するピンないしフックで構成されていることを特徴とする請求項１に記載のフリーサイズ指輪。